(57)【要約】  【課題】  水底を耕しながらの水底や水中への酸素の供給をより効率的、且つ確実に行う。  【解決手段】  上下方向に回動可能に支持されたノズル１を、曳航時においてその噴射方向が下向きとなるように回動させるとともに、当該下向き状態を保持する。  【選択図】  図２
2008005736.tif 000002
【特許請求の範囲】
【請求項１】
船に備えられた微細気泡混合装置により供給される微細気泡混合水を水底及び／又は水中に向けて噴射するノズルを備えた水底耕耘装置において、
前記ノズルは、上下方向に回動可能に支持され、曳航時においてその噴射方向が下向きとなるように回動するとともに、当該下向き状態が保持されることを特徴とする水底耕耘装置。
【請求項２】
前記ノズルの回動軸心と同軸で当該ノズルと一体構造とするノズル側ギアと、当該ノズル側ギアと噛合う伝達ギアと、当該伝達ギアと一体として上下２方向に突出させた抵抗板とを含み、曳航時において、下側に突出する抵抗板が水底に接触するその接触抵抗を当該抵抗板に対して曳航方向と逆方向に力を作用させて伝達ギアを回動させ、この伝達ギアの回動がノズル側ギアの回動として伝達されることにより、ノズルの噴射方向を下向きにするとともに、当該ノズルの下向き状態を保持するようにしたことを特徴とする請求項１に記載の水底耕耘装置。
【発明の詳細な説明】
【技術分野】
【０００１】
本発明は、海底、湖底、川底等の水底を生物が生息するのに適した環境に活性化するのに有用な水底耕耘装置に関する。
【背景技術】
【０００２】
本発明に関連する先行技術文献情報として、例えば、下記の技術文献１が有る。
【特許文献１】特開２００３−２６５０６３号公報
【０００３】
前記特許文献１の発明に記載の水中耕耘装置は、船に備えられた微細気泡混合装置により供給される微細気泡混合水を水底及び／又は水中に向けて噴射するノズルを備えてなるものであり、当該水底耕耘装置を水底に降ろした状態で船により曳航しながら前記ノズルから前記微細気泡混合水を噴射するようにしたものである。
この水底耕耘装置によれば、船で曳航されながらノズルから噴射される微細気泡混合水により、水底を耕しながらの水底や水中への酸素の供給を広い範囲で効率的に行うことができる。
【発明の開示】
【発明が解決しようとする課題】
【０００４】
ところで、前記特許文献１の発明に記載の水中耕耘装置は、ノズルがその噴射方向を一方向（下向き）として固定されおり、水中耕耘装置の耕耘作業における上下の方向性が決まっている。
そのため、水中耕耘装置が、誤操作や潮流により水中耕耘装置が上下逆転した場合、水底を耕しながらの水底や水中への酸素の供給が行えないということが生じてしまうし、水中耕耘装置が水中にあるので、当該水中耕耘装置の状態を確認することが困難であると思われる。
本発明者は、前記特許文献１の発明に記載の水中耕耘装置について、水底を耕しながらの水底や水中への酸素の供給をより効率的に行い、しかも確実性をも向上させるという観点から、鋭意研究を重ねた結果本発明に至ったものである。
【０００５】
本発明は、水底を耕しながらの水底や水中への酸素の供給をより効率的、且つ確実に行うことを課題とし、この課題を解決した水底耕耘装置の提供を目的とする。
【課題を解決するための手段】
【０００６】
前記目的を達成するため、本発明が採用した技術的手段は、船に備えられた微細気泡混合装置により供給される微細気泡混合水を水底及び／又は水中に向けて噴射するノズルを備えた水底耕耘装置において、前記ノズルは、上下方向に回動可能に支持され、曳航時においてその噴射方向が下向きとなるように回動するとともに、当該下向き状態が保持されることを特徴とする水底耕耘装置にしたことである。
【０００７】
前記ノズルの具体的な回動構造として、例えば、ノズルの回動軸心と同軸で当該ノズルと一体構造とするノズル側ギアと、当該ノズル側ギアと噛合う伝達ギアと、当該伝達ギアと一体として上下２方向に突出させた抵抗板とを含み、曳航時において、下側に突出する抵抗板が水底に接触するその接触抵抗を当該抵抗板に対して曳航方向と逆方向に力を作用させて伝達ギアを回動させ、この伝達ギアの回動がノズル側ギアの回動として伝達されることにより、ノズルの噴射方向を下向きにするとともに、当該ノズルの下向き状態を保持するようにした構成が例示できる。
【発明の効果】
【０００８】
本発明によれば、水底を耕しながらの水底や水中への酸素の供給をより効率的、且つ確実に行うことができる。
【発明を実施するための最良の形態】
【０００９】
以下、本発明に係る水底耕耘装置を実施するための最良の形態を図面に基づいて説明する。
本形態の水底耕耘装置Ａは、前記特開２００３−２６５０６３号公報の発明に記載の水底耕耘装置と同様に、船（図示せず）に備えられた微細気泡混合装置（図示せず）により供給される微細気泡混合水を水底及び／又は水中に向けて噴射するノズル１を備えてなり、水底に着底した状態で船により曳航されながら前記ノズル１から前記微細気泡混合水を水底及び／又は水中に噴射するようにしたものである。
又、本形態の水底耕耘装置Ａは、当該水底耕耘装置Ａと船とに亘って連結されたロープ（図示せず）により連結されることにより、船による曳航が行われる。
【００１０】
以下、本形態の水底耕耘装置Ａを具体的に説明する。
水底耕耘装置Ａは、２枚の支持板Ａ１，Ａ２間の前方（曳航方向）に、微細気泡混合装置（図示せず）から配管される可撓性を有するホースＨが連結される固定管Ａ３が、前記2枚の支持板Ａ１，Ａ２間の後方に、前記ノズル１が複数後向きに装着された回動管Ａ４が夫々設けられ、更に、これら固定管Ａ３と回動管Ａ４とに亘って可撓制を有する３本のホースＡ５を配管し、前記微細気泡混合装置から供給される微細気泡混合水を、固定管Ａ３、ホースＡ５、回動管Ａ４を介して前記ノズル１から噴出させるようにしている。
【００１１】
前記回動管Ａ４は、前記支持板Ａ１，Ａ２に対して前後方向回動自在に支持され、当該回動管Ａ４の回動軸心がノズル１における上下方向（水底方向及び水面方向）の回動軸心となる。
又、回動管Ａ４と前記支持板Ａ１，Ａ２とに亘って、曳航時において回動管Ａ４を前記ノズル１の噴射方向が下向き（水底方向）になる方向に回動させる回動伝達機構２が配設されている。
尚、以下では、図２乃至図４において、水底耕耘装置Ａの水底側面をＡ面といい、水面側面をＢ面という。
【００１２】
前記回動伝達機構２は、前記回動管Ａ４の外周に当該回動管Ａ４と同軸で一体回動するように設けられた２つのノズル側ギア３と、前記支持板Ａ１，Ａ２に前記ノズル側ギアと噛合うように前後方向回動可能として夫々軸支された２つの伝達ギア４と、当該伝達ギア４に対してＡ側とＢ側とに向けて夫々一体的に突設した抵抗板５Ａ，５Ｂと、当該抵抗板５Ａ，５Ｂの回動動作を規制する規制突起６とから構成されている。
【００１３】
前記ノズル側ギア３及び伝達ギア４は、夫々、ノズル１の上下回動範囲にのみ噛合歯が形成されたものである。
前記抵抗板５Ａは、水底耕耘装置ＡのＡ面から突出し、前記抵抗板５Ｂは、水底耕耘装置ＡのＢ面から突出する長さに夫々形成されており、図３及び図４に示すように、水底耕耘装置Ａが水底においてＡ面又はＢ面のいずれかが着底しても、抵抗板５Ａ又は抵抗板５Ｂのいずれかが水底に接触するようにしている。
そして、Ａ面が水底に着底したことにより前記抵抗板５Ａが水底に接触し、水底耕耘装置Ａが曳航されると、水底に接触していることによる抵抗により、抵抗板Ａに対してノズル１方向（図において反時計回り）に回動させる力が作用し、この力によって前記伝達ギア４が図において反時計回りに回動する。
更に、前記伝達ギア４の回動により、当該伝達ギア４と噛み合うノズル側ギア３が図において時計回りに回動することにより前記回動管Ａ４が回動して前記ノズル１が下向き（水底方向）となる。
又、Ｂ面が着底した場合にも、図に示すように、結果的にＡ面が着底した状態と同様になるので、ノズル１を下向き（水底方向）にすることができる。
【００１４】
前記規制突起６は、前記抵抗板５Ａ及び抵抗板５Ｂの回動限界位置に設けられ、これら抵抗板５Ａ，５Ｂが回動した際に接触し、この接触によりこれ以上の回動を阻止している。
ここで回動限界位置とは、前記伝達ギア４と前記ノズル側ギア３とをその噛合いが外れない程度に回動させる限界位置である。
【００１５】
次に、前記形態の水底耕耘装置Ａの動作を説明する。
水底耕耘装置Ａを船から水中に落とし込み、当該水底耕耘装置Ａを着底させる（図参照）。
このとき、抵抗板５Ａ及び抵抗板５Ｂは垂直状態にあって、前記ノズル１が平行方向にある。
又、水底耕耘装置Ａを、そのＡ面を水底に向けて落とし込んだ際、潮流や誤操作や潮流によりＡ面が上向き（水面方向）になってしまっても、前記したように抵抗板Ｂが突出するＢ面が下向き（水底）に着底する（図参照）。
水底耕耘装置Ａの着底後に船を前進させると、着底された水底耕耘装置Ａが曳航され、この曳航に伴って、着底したＡ面又はＢ面の抵抗板５Ａ又は抵抗板５Ｂに作用する水底の抵抗によって伝達ギア４が回動し、この回動がノズル側ギア３から回動管Ａ４を経てノズル１の下向き（水底方向）の回動として伝達される。
又、水底耕耘装置Ａの曳航により、下向きとなったノズル１には、曳航中において抵抗板５Ａ又は抵抗板５Ｂに作用している水底への接触による抵抗が常時作用しているので、そのノズル１の下向き状態が保持される。
そして、前記微細気泡混合装置から供給される微細気泡混合水が下向きのノズル１から水底に向けて噴射され、その噴射の勢いによって水底を耕すとともに、水底や水中に酸素を供給する。
【００１６】
したがって、本形態の水底耕耘装置Ａによれば、着底時においてＡ面又はＢ面が逆転しても、伝達ギア４を回動させる前記抵抗板５Ａ又は抵抗板５Ｂのいずれかが必ず水底に接触するので、Ａ面又はＢ面のいずれの着底状態でも、前記ノズル１は下向き（水底方向）に回動するとともに、その下向き状態を保持することができる。
よって、水底を耕しながらの水底や水中への酸素の供給をより効率的、且つ確実に行うことができる。
【００１７】
なお、本発明は、例示した実施の形態に限定するものでは無く、特許請求の範囲の各項に記載された内容から逸脱しない範囲の構成による実施が可能である。
【図面の簡単な説明】
【００１８】
【図１】本発明に係る水底耕耘装置の平面図。
【図２】図１の（２）−（２）線拡大断面図。
【図３】同、断面図で、Ａ面が下向きである状態を示す。
【図４】同、断面図で、Ｂ面が下向きである状態を示す。
【符号の説明】
【００１９】
Ａ：水底耕耘装置
Ａ１：支持板
Ａ２：支持板
Ａ３：固定管
Ａ４：回動管
１：ノズル
２：回動伝達機構
３：ノズル側ギア
４：伝達ギア
５Ａ：抵抗板
５Ｂ：抵抗板
【図１】
2008005736.tif 000003
【図２】
2008005736.tif 000004
【図３】
2008005736.tif 000005
【図４】
2008005736.tif 000006